(57)【要約】【課題】ＲＩＳサーバの登録情報と画像サーバとの連携を図るとともに、ＲＩＳサーバとレポートサーバの連携を図ることで、読影時に必要な医用画像が画像サーバ内に確実に存在することを保証可能な医療画像システムを提供する。【解決手段】医用画像撮影装置４と、画像サーバ２と、ＲＩＳサーバ１と、技師端末５と、レポートサーバ３とを備える医用画像管理システムであって、技師端末５は画像サーバ２へ送る医用画像の画像枚数をＲＩＳサーバ１へ入力する画像枚数入力手段５１を有し、ＲＩＳサーバ１は入力された画像枚数を記憶し、画像サーバ２にアクセスして配送された医療画像の配送画像枚数を確認し、記憶した画像枚数と配送画像枚数を比較して、配送が完了している場合にはレポートサーバ３からの検査終了確認要求に対し検査終了情報とオーダー情報を提供し、配送が完了していないときにはエラー表示をする。【選択図】図１
2007241504.tif 000002
【特許請求の範囲】
【請求項１】
医用画像を撮影する医用画像撮影装置と、前記医用画像を保存する画像サーバと、検査要求を表すオーダー情報と撮影の完了を表す検査終了情報を管理するＲＩＳサーバと、前記ＲＩＳサーバの情報の確認と入力を行う技師端末と、前記画像に対する画像診断のレポートを作成するレポートサーバとを備える医用画像管理システムであって、
前記技師端末は、前記画像サーバへ配送する前記医用画像の画像枚数を前記ＲＩＳサーバへ入力する画像枚数入力手段を有し、
前記ＲＩＳサーバは、前記入力された前記画像枚数の情報を記憶する画像枚数記憶手段を有し、前記画像サーバにアクセスして配送された医療画像の配送画像枚数を確認し、前記記憶した画像枚数と前記配送画像枚数を比較して、前記配送が完了している場合には前記レポートサーバからの検査終了確認要求に対し前記検査終了情報と前記オーダー情報を提供する画像枚数確認手段を有し、前記配送が完了していないときにはエラー表示をするエラー表示手段を有する
ことを特徴とする医用画像管理システム。
【請求項２】
前記ＲＩＳサーバは、前記画像枚数の入力時の入力時間、入力者を記憶する記憶手段を有し、前記医用画像の配送先を入力する入力手段とそれを記憶する記憶手段を有し、ＲＩＳ端末からの要求に対しその要求に対応する前記記憶手段に記憶した情報を出力する出力手段を有することを特徴とする請求項１に記載の医用画像管理システム。
【請求項３】
前記ＲＩＳサーバは前記画像枚数情報の確認をしたときに前記レポートサーバへ配送完了情報を通知する通知手段を有することを特徴とする請求項１に記載の医用画像管理システム。
【請求項４】
前記画像枚数の情報を、前記医用画像撮影装置から直接取得することを特徴とする請求項１に記載の医用画像管理システム。
【請求項５】
医用画像撮影装置から画像サーバに送られる画像枚数の情報を、ＲＩＳサーバがＲＩＳ端末から受け取り、画像枚数を記憶する段階と、
ＲＩＳサーバが、画像サーバに配送された配送画像の枚数を定期的に確認し、記憶した画像枚数の情報と比較して、配送画像の枚数と記憶した画像枚数とが一致した場合には配送完了情報を記憶し、一致しない場合にはエラー表示をし、配送画像枚数が記憶した画像枚数より少ない場合には確認を繰り返し、配送画像枚数が記憶した画像枚数より多い場合には、確認を終了する段階と、
レポートサーバが定期的にＲＩＳサーバの配送完了情報を確認する段階と、
レポートサーバがレポート作成端末からのレポート作成要求を受けたとき、ＲＩＳサーバから配送完了情報を受け取っている場合には、検査要求を表すオーダー情報と撮影の完了を表す検査終了情報を表示し画像サーバから医用画像を呼び出し、配送完了情報を受け取っていない場合には、レポート作成要求を拒否する段階と
を有することを特徴とする医用画像管理方法。
【発明の詳細な説明】
【技術分野】
【０００１】
本発明は、放射線科の医用画像の管理に関するものであり、例えば放射線技師の作業記録や放射線技師とレポート作成医師間における医用画像の連携を良くした技術に関するものである。
【背景技術】
【０００２】
近年、人体内部の情報を収集し、この収集した情報に基づいて人体内部の構造や機能の状態を表す医用画像を生成して表示する医用画像診断装置が使用されている。この医用画像診断装置としては、Ｘ線診断装置、Ｘ線ＣＴ診断装置、ＭＲＩ装置（核磁気共鳴画像診断装置）、超音波画像診断装置、核医学診断装置等が知られている。このような、ＣＴ診断装置やＭＲＩ装置等の医用画像撮影装置はモダリティと呼ばれる。また、前記医用画像診断装置により収集された前記医用画像の保管等を行う医用画像管理システム（ＰＡＣＳ）があり、このＰＡＣＳには前記医用画像を保管する画像サーバが含まれる。さらに、前記医用画像に対する医学的な所見等を入力するレポート作成端末である読影端末、その入力情報を記憶する医用レポート装置（レポートサーバ）等の医用情報システムが知られている。また、放射線科にて取り扱われる医用画像（放射線撮影画像）や検査情報等の情報を電子化して管理するＲＩＳ（Ｒａｄｉｏｌｏｇｙ  Ｉｎｆｏｒｍａｔｉｏｎ  Ｓｙｓｔｅｍ；放射線科情報システム）、このＲＩＳの制御やデータ管理を行うサーバであるＲＩＳサーバ、そのＲＩＳサーバに記録された情報を確認したり、情報を入力したりするための端末である技師端末としてＲＩＳ端末が知られている。
【０００３】
一般に、放射線技師が医用画像撮影装置で撮影した医用画像は、前記放射線技師により、前記医用画像撮影装置から前記ＰＡＣＳの画像サーバに保存される（例えば、特許文献１参照。）。また、前記医用画像撮影装置による医療行為の実施が完了したことを通知するための検査終了情報は、前記放射線技師により前記技師端末から前記ＲＩＳサーバに対し入力がなされる（例えば、特許文献２参照。）。さらに前記ＲＩＳサーバは、診療医師により入力された患者情報や検査情報を病院全体の情報を統合管理するＨＩＳ（Ｈｏｓｐｉｔａｌ  Ｉｎｆｏｒｍａｔｉｏｎ  Ｓｙｓｔｅｍ；病院情報システム）サーバから受け取り記憶している。そして、前記レポートサーバから前記ＲＩＳサーバに対して検査要求を表すオーダー情報と前記検査終了情報の読み込みが定期的に行われ、レポートサーバはそれら情報を記憶している（例えば、特許文献３参照。）。
【０００４】
レポート作成医師は、レポート作成端末上の医用画像ビューアを用いて前記画像サーバにある医用画像を参照し画像診断を行い、前記医用画像に対する画像診断結果であるレポート情報を前記レポート作成端末上の医用レポート作成手段で作成する。そして、これら検査を依頼した各診療科の医師は、この前記レポート情報を診療科の端末で表示して診療を行う。
【特許文献１】特開２００２−１５３４２７号公報
【特許文献２】特開２００５−３３９１６４号公報
【特許文献３】特開２００２−２９７７６７号公報
【発明の開示】
【発明が解決しようとする課題】
【０００５】
従来のこの種のシステムでは、撮影を行った技師が自ら医用画像撮影装置を使用して画像サーバへの画像の配送を行うことが必要であり、その配送とは別に技師自らが技師端末を使用してＲＩＳサーバへの検査終了情報の入力を行う必要があった。そして、これら画像サーバへの配送とＲＩＳサーバへの検査終了情報の入力は、なんらの連携もとられていなかった。そのため、放射線技師がＲＩＳへの検査終了情報の入力は行ったが、画像サーバへ撮影した画像の配送を遅滞したといった場合には、ＲＩＳへの検査終了情報の入力が行われているにも拘らず、画像サーバには撮影された画像がないという状況が起こりえる。この場合には、レポート作成医師が検査終了情報を参照して検査が実施されたことを確認したうえで、読影レポートを作成しようとしても読影に必要な医用画像が参照できない事態が発生していた。
【０００６】
この点、画像サーバへの医用画像の配送が完了した後でなければ、ＲＩＳサーバへの検査終了情報の入力を行えなくする方法も考えられる。しかし、検査終了情報は読影にのみ使われるわけではなく、会計のための検査終了のチェックなどにも利用されるため、検査終了情報の入力自体は迅速に行われる必要がある。これに対し、医用画像の配送は後に放射線技師が必要な画像を選択して送るなどのため、時間をかける必要がある。したがって、ＲＩＳサーバへの検査終了情報の入力を医用画像の配送完了よりも前に行うことが通常は必要であり、前述のような方法は現実的ではない。
【０００７】
また、ＲＩＳサーバと画像サーバへの画像配送との連携がないため、画像配送をした時間、操作者、画像枚数、配送先の管理がＲＩＳサーバでは行われず、画像の配送状況等の情報を確認するには、実際に配送した医用画像撮影装置又は配送された画像サーバという特定の場所でしか行えなかった。
【０００８】
さらに、従来の方法ではレポートサーバからＲＩＳサーバに登録の通知情報や検査情報を読み込み行っていたため、ＲＩＳサーバが画像配送の完了を確認しても、その情報がすぐにはレポートサーバに反映されず、レポートサーバの読み込みのタイミングまでのタイムラグが発生してしまう。
【０００９】
本発明は、このような事情に鑑みてなされたもので、ＲＩＳサーバの登録情報と画像サーバとの連携を図るとともに、ＲＩＳサーバとレポートサーバの連携を図り、さらにＲＩＳサーバで画像の配送状況の管理を行うことで、読影時に必要な医用画像が画像サーバ内に確実に存在することを保証し、また、配送状況確認のための移動の負荷を減らし、さらに画像配送の責任の管理を行うことを目的としている。
【課題を解決するための手段】
【００１０】
上記目的を達成するため、請求項１に記載の医用画像管理システムは、医用画像を撮影する医用画像撮影装置と、前記医用画像を保存する画像サーバと、検査要求を表すオーダー情報と撮影の完了を表す検査終了情報を管理するＲＩＳサーバと、前記ＲＩＳサーバの情報の確認と入力を行う技師端末と、前記画像に対する画像診断のレポートを作成するレポートサーバとを備える医用画像管理システムであって、前記技師端末は、前記画像サーバへ配送する前記医用画像の画像枚数を前記ＲＩＳサーバへ入力する画像枚数入力手段を有し、前記ＲＩＳサーバは、前記入力された前記画像枚数の情報を記憶する画像枚数記憶手段を有し、前記画像サーバにアクセスして配送された医療画像の配送画像枚数を確認し、前記記憶した画像枚数と前記配送画像枚数を比較して、前記配送が完了している場合には前記レポートサーバからの検査終了確認要求に対し前記検査終了情報と前記オーダー情報を提供する画像枚数確認手段を有し、前記配送が完了していないときにはエラー表示をするエラー表示手段を有することを特徴とする。
【００１１】
請求項５に記載の医用画像管理方法は、医用画像撮影装置から画像サーバに送られる画像枚数の情報を、ＲＩＳサーバがＲＩＳ端末から受け取り、画像枚数を記憶する段階と、ＲＩＳサーバが、画像サーバに配送された配送画像の枚数を定期的に確認し、記憶した画像枚数の情報と比較して、配送画像の枚数と記憶した画像枚数とが一致した場合には配送完了情報を記憶し、一致しない場合にはエラー表示をし、配送画像枚数が記憶した画像枚数より少ない場合には確認を繰り返し、配送画像枚数が記憶した画像枚数より多い場合には、確認を終了する段階と、レポートサーバが定期的にＲＩＳサーバの配送完了情報を確認する段階と、レポートサーバがレポート作成端末からのレポート作成要求を受けたとき、ＲＩＳサーバから配送完了情報を受け取っている場合には、検査要求を表すオーダー情報と撮影の完了を表す検査終了情報を表示し画像サーバから医用画像を呼び出し、配送完了情報を受け取っていない場合には、レポート作成要求を拒否する段階とを有することを特徴とする。
【発明の効果】
【００１２】
請求項１及び請求項５に記載の発明によれば、医用画像撮影装置を使用して医用画像を撮影した放射線技師が、画像サーバに配送する画像枚数をＲＩＳサーバに入力し、その情報に基づいて実際に情報と同じ枚数の前記医用画像が前記画像サーバに存在するかを前記ＲＩＳサーバが確認後、レポートサーバの検査終了情報の送信要求に応答するため、前記レポートサーバにある検査終了情報と前記画像サーバへの医用画像の配送完了の間に齟齬が生じない。したがって、レポート作成医師が前記レポートサーバの前記検査終了情報を確認した上で、読影を行おうとした場合には必ず必要な前記医用画像が前記画像サーバの中に存在する。これにより、前記医用画像の配送忘れを防止でき、読影時に必要な前記医用画像が前記画像サーバ内に確実に存在することが保証されるという特有の効果がある。
【発明を実施するための最良の形態】
【００１３】
本発明に係る医用画像管理システムの実施の形態の一例について図面を参照しながら詳細に説明する。
【００１４】
〔第１の実施形態〕
図１は本発明のシステム全体の構成を示すブロック図であり、図２はＲＩＳサーバ、画像サーバ、レポートサーバ間それぞれのデータのフローチャートである。
【００１５】
図１に示すように、システム全体の構成としては、ネットワーク上にＲＩＳサーバ１、画像サーバ２、レポートサーバ３、医用画像撮影装置４、技師端末５、レポート作成端末６、ＨＩＳサーバ７がそれぞれ配置されている。また、ＲＩＳサーバ１のＣＰＵは画像枚数記憶手段１１、画像枚数確認手段１２、検査情報記憶手段１３、エラー表示手段１４の制御を、画像サーバ２のＣＰＵは画像保存手段２１の制御を、レポートサーバ３のＣＰＵは検査終了情報確認手段３１、情報表示手段３２、読影情報保存手段３３の制御を、医用画像撮影装置４のＣＰＵは画像送信手段４１の制御を、技師端末５のＣＰＵは画像枚数入力手段５１、検査終了情報入力手段５２の制御を、レポート作成端末６のＣＰＵは情報呼び出し手段６１、読影情報入力手段６２、情報確認手段６３の制御をそれぞれ行っている。
【００１６】
このような構成のシステムの機能について、図１を参照しながら説明する。まず、ＨＩＳサーバ７から送られてきたオーダー情報が検査情報記憶手段１３に保存される。そのオーダー情報を基に医用画像を撮影する放射線技師（以下「技師」という。）により検査が実施され、医用画像撮影装置４で医用画像が撮影される。検査が完了すると検査を行った技師は技師端末５の検査終了情報入力手段５２を使用して、検査終了情報を入力する。この検査終了情報はＲＩＳサーバ１の検査情報記憶手段１３に記憶される。また、検査を行った技師は撮影した医用画像の中から画像サーバ２に送るための必要な画像を選択し、その枚数を画像枚数入力手段５１から入力する。この画像枚数情報はＲＩＳサーバ１の画像枚数記憶手段１１に記憶される。次に、技師は選択した医用画像を医用画像撮影装置４の画像送信手段４１を用いて画像サーバ２に送り、この画像は画像サーバ２の画像保管手段２１に保管される。ここで、医用画像撮影装置４と技師端末５はどちらも技師の手元にあり、ＲＩＳサーバ１等のサーバが設置されているサーバルームからは離れた場所に配置されている。ただし、医用画像撮影装置４と技師端末５は互いに画像に関する情報のやり取りを行わないため、上記のように画像枚数に対する別個の作業を必要とする。
【００１７】
次に、ＲＩＳサーバ１による画像枚数確認の流れを図２のフローチャートを使用して説明する。まずステップＳ１で画像枚数がＲＩＳサーバ１に入力されると、ステップＳ２で画像枚数確認手段１２により、ステップＳ７で画像サーバ２の中に保管されている配送された画像の枚数を定期的にチェックしに行く。ここで、ステップＳ３で画像枚数記憶手段１１に記憶されている画像枚数と画像サーバ２内に保管されている画像枚数を比較し画像枚数が同じであれば、ステップＳ４で検査情報記憶手段１３に配送完了を記憶させる。また、ステップＳ３で画像枚数が同じでない場合にはステップＳ５でエラー表示を行い、ステップＳ６で画像サーバ２内の医用画像の枚数が少ない場合には定期的な確認を繰り返し、ステップＳ６で画像サーバ２内の医用画像の枚数が多い場合には確認作業を終了する。
【００１８】
このとき、ステップＳ５では、ステップＳ１で画像枚数確認手段１２により現在の時点で何枚の画像が画像サーバ２に送られているかを確認でき、またステップＳ２で最終的に必要な画像枚数が何枚かは画像枚数記憶手段１１で記憶しているため、それらを比較することで、現在どのくらい配送が終わっているかなどの配送状況も技師端末５に送ることが出来る。
【００１９】
次に、レポートサーバ３による読影の流れを図２のフローチャートを使用して説明する。まず、レポートサーバ３は検査終了情報確認手段３１によりＲＩＳサーバ１の検査情報記憶手段１３が有する検査終了情報を定期的に確認する。このとき、ＲＩＳサーバ１は検査情報記憶手段１３に配送完了の情報があれば、検査終了情報確認手段３１の要求に応答し検査終了情報とオーダー情報を提供する。また、配送完了の情報が無ければ、検査終了情報確認手段３１の要求には応答せず、検査終了情報確認手段３１は定期的な確認を繰り返す。ステップＳ８でレポート作成医師がレポート作成端末６の情報確認手段６３を使用してレポートサーバ３にレポート作成を要求し、ステップＳ９で検査終了情報確認手段３１が検査終了情報を有しているかを参照し、検査終了情報が検査終了情報確認手段３１にあれば読影を開始し、ステップＳ９で検査終了情報が無ければレポートの作成を拒否する。レポート作成医は情報呼び出し手段６１により、レポートサーバ３にオーダー情報を要求し情報表示手段３２によりオーダー情報を受けるとともに、ステップＳ１０で画像サーバ２に存在する医用画像を参照して読影を行う。そして、ステップＳ１１で読影の結果を読影情報入力手段６２により入力し、その情報は対応するオーダー情報や医用画像と関連付けられてレポートサーバ３の読影情報保存手段に保存される。
【００２０】
このように、レポート作成医が検査終了情報を確認し読影を開始したときには、必ずそのレポート作成に対応した画像が画像サーバに保管されていることが保証されており、必要な医用画像の不存在による読影の停滞が解消される。
【００２１】
〔第２の実施形態〕
本発明に係る第２の実施形態について説明する。本実施形態は第１の実施形態の医用画像システムにおいて、技師端末５の画像枚数入力手段５１から画像枚数の入力をした時に、システムの時計やシステムへのログイン名を利用して、入力の時刻と入力者がＲＩＳサーバ１に自動的に記憶される構成にしたものである。また、本実施形態の技師端末５には、医用画像の配送先を入力する手段が備わっており、ＲＩＳサーバ１に医用画像の配送先を記憶させることが出来る構成にしたものである。
【００２２】
これにより、わざわざ画像を送信した医用画像撮影装置４や離れたサーバルームにある画像サーバ２のところまで行かずとも、技師端末５さえあればどこからでも画像を送った人間、配送枚数、配送枚数の入力時間、及び配送先の画像サーバ２が確認できるため、医用画像の配送状況の確認が容易になり、医用画像の配送忘れを防止して管理が確実になるとともに、画像配送の責任の管理も確実に行えるようになる。また、画像の保管場所が簡単にわかるため、システムのメンテナンス性も向上する
【００２３】
さらに、本実施形態では安全性を考え技師端末５からの配送状況の確認を行っているが、ＨＴＴＰなどを使用してブラウザから配送状況の確認を行えるよう構成することも可能であり、このようにすれば、一般的なコンピュータから配送状況の確認が行うことが可能になる。
【００２４】
〔第３の実施形態〕
本発明に係る第３の実施形態の医用画像管理システムは、第１の実施形態において、ＲＩＳサーバ１が検査終了通知手段を有し、レポートサーバ３の検査終了情報確認手段３１が定期的にＲＩＳサーバ１に検査終了情報を確認することはない構成である。
【００２５】
このときのＲＩＳサーバ１による検査終了通知の流れを、図３のフローチャートを使用して説明する。まず、第１の実施形態のフローと同様に、ステップＳ３でＲＩＳサーバ１が画像サーバ２内に存在する医用画像の枚数と、画像枚数記憶手段１１で記憶された枚数とを比較する。次に、ステップＳ３で画像サーバ２内の医用画像の枚数と記憶された枚数が一致した場合には、ステップＳ４でＲＩＳサーバ１の検査終了通知手段によりレポートサーバ３に検査終了の通知を行う。これにより、レポートサーバ３は検査終了情報を有することになる。そして、ステップＳ９で検査終了情報を確認し読影を行うときには、レポートサーバ３の情報表示手段３２により要求されたオーダー情報が提供され、ステップＳ１０で画像サーバ内の当該検査における医用画像が呼び出される。
【００２６】
したがって、ステップＳ４で、ＲＩＳサーバ１が画像サーバ２への画像の配送完了を確認したと同時に、レポートサーバ３に検査終了情報の通知を行うため、ＲＩＳサーバが配送完了の確認後画像サーバ２の定期的な検査終了情報の確認のタイミングまでＲＩＳサーバ１の検査終了情報がレポートサーバ３に反映されないということが無くなり、画像の配送の完了とレポートサーバ３の情報更新とのタイムラグが無くなる。これにより、より迅速な読影が可能になる。
【００２７】
〔第４の実施形態〕
本発明に係る第４の実施形態の医用画像システムは、第１の実施形態において、技師が行っていたＲＩＳサーバ１への画像枚数の入力を、ＭＰＰＳなどの通信手段を使用して、医用画像撮影装置４から技師端末５経由で直接ＲＩＳサーバ１に画像枚数を通知する構成にしたものである。
【００２８】
本実施形態では、検査行った技師が医用画像撮影装置４の画像送信手段４１で画像サーバ２に必要な医用画像を送ったと同時に、技師端末５と医用画像撮影装置間４の通信手段を用いて画像サーバ２への送信枚数が技師端末５を経由してＲＩＳサーバ１に通知される。そして、この枚数の情報がＲＩＳサーバ１の情報記憶手段１３に記憶され、画像サーバ２内に存在する医用画像の枚数との比較に使用される。
【００２９】
これにより、技師は前記画像サーバ２への医用画像配送と配送する画像枚数のＲＩＳサーバ１への入力を別々に行う必要が無くなり、医用画像撮影装置４から画像サーバ２に医用画像を配送すれば、その枚数が自動的にＲＩＳサーバ１に通知されることになる。これにより、医用画像撮影装置４から画像サーバ２に配送される医用画像の配送枚数とＲＩＳサーバ１に入力される画像枚数が常に一致することになり、人為的ミスが削減でき、読影時に必要な医用画像が画像サーバ２内に確実に存在することが確実になる。
【００３０】
〔第５の実施形態〕
本発明に係る第５の実施形態の方法の発明を、図２のフローチャートを参照して説明する。ステップＳ１は、医用画像撮影装置４から画像サーバ２に送られる画像枚数の情報を、ＲＩＳサーバ１が技師端末５から受け取り、画像枚数が検査情報記憶手段１３に記憶される段階である。次に、ステップ２からステップＳ６までが、ＲＩＳサーバ１が、定期的に画像サーバ２に配送された配送画像の枚数を確認し、記憶した画像枚数の情報と比較して、配送画像の枚数と記憶した画像枚数とが一致した場合には配送完了情報を情報記憶手段１３に記憶し、一致しない場合にはエラー表示をし、配送画像枚数が記憶した画像枚数より少ない場合には確認を繰り返し、配送画像枚数が記憶した画像枚数より多き場合には、確認を終了する段階である。さらに、レポートサーバ３が定期的にＲＩＳサーバ１の配送完了情報を確認する段階がある。そして、レポートサーバ３がレポート作成医からのレポート作成要求に対し、ＲＩＳサーバ１から前記配送完了情報を受け取っている場合には、オーダー情報と検査終了情報を表示手段３２で表示するとともに、画像サーバ２から必要な画像を呼び出し、前記配送完了情報を受け取っていない場合には、レポート作成要求を拒否する段階である。本発明はこのような段階で構成されている。
【００３１】
このような方法を採ることにより、技師による画像サーバ２への医用画像の配送忘れを防ぐことが出来る。したがって、画像サーバ２の医用画像の不存在による読影の停滞を解消することができる。
【図面の簡単な説明】
【００３２】
【図１】医用画像管理システム全体の構成を示すブロック図
【図２】各サーバの処理とデータの流れを示す第１の実施形態のフローチャート
【図３】各サーバの処理とデータの流れを示す第３の実施形態のフローチャート
【符号の説明】
【００３３】
１  ＲＩＳサーバ
１１  画像枚数記憶手段
１２  画像枚数確認手段
１３  検査情報記憶手段
１４  エラー表示手段
２  画像サーバ
２１  画像保管手段
３  レポートサーバ
３１  検査終了情報確認手段
３２  情報表示手段
３３  読影情報保存手段
４  医用画像撮影装置
４１  画像送信手段
５  技師端末
５１  画像枚数入力手段
５２  検査終了情報入力手段
６  レポート作成端末
６１  情報呼び出し手段
６２  読影情報入力手段
６３  情報確認手段
７  ＨＩＳサーバ
【図１】
2007241504.tif 000003
【図２】
2007241504.tif 000004
【図３】
2007241504.tif 000005